(57)【要約】【課題】  音響に伴う照明を音楽の強弱に合わせて変化するようにすることにより映像と音響ランプの構造を一つのスクリーン構造に結合した音響ランプ兼用映像スクリーン構造を提供すること。【解決手段】  本発明に係る音響ランプ兼用映像スクリーンは、通常の映像用スクリーンに音響によって変化するランプの機能を結合することにより一つのスクリーン構造で映像鑑賞と、音響と、音響により色々なランプが視覚的に変化する効果を同時に得ることができるようにスクリーンの周りにフレームを構成し、同フレームにランプを複数個構成したランプラインを構成し、ランプラインは再び音響信号変換装置と音響センサを結合してから再びスクリーンと結合してなることを特徴とする。【選択図】      図１
2008085979.tif 000002
【特許請求の範囲】
【請求項１】
映写用スクリーンにおいて、
スクリーン(1)周囲にランプ(5)を結合することができるフレーム(3)を構成し、
上記フレーム(3)にはランプ(5)によるランプライン(4)を構成し、
上記ランプライン(4)は音響信号変換器(3)と結合構成して、
スクリーン(1)の映像と音響によるランプの変化を一つのスクリーン構造で同時に視聴することができることを特徴とする、音響ランプ兼用映像スクリーン。
【請求項２】
スクリーン(1)の構成はPDPのように平面で映像を表すことができる映像用スクリーン(1)で構成されたことを特徴とする、請求項１に記載の音響ランプ兼用映像スクリーン。
【請求項３】
フレーム(2)内部ランプライン(4)全面に多様な模様の拡散板(6)を構成したことを特徴とする、請求項１に記載の音響ランプ兼用映像スクリーン。
【請求項４】
スクリーン(1)の構成をコーンケーブ形態の高輝度スクリーンとしたことを特徴とする、請求項１に記載のランプライン兼用映像スクリーン。
【請求項５】
スクリーン(1)構造を平面または曲面形態の高反射スクリーンとしたことを特徴とする、請求項１に記載の音響ランプ兼用映像スクリーン。
【発明の詳細な説明】
【技術分野】
【０００１】
本発明は通常の映像用スクリーンに音響によりランプの明るさと色が変わる音響ランプと音響を電気信号で変換する構造を結合することにより、スクリーンによる映像鑑賞機能だけでも使用が可能であり、音楽に従って変化される照明機能でも使用が可能であり、映像視聴と同時音響によるランプの視覚的変化も同時に感じることができるように構成した音響ランプ兼用映像スクリーンに関するものである。
【背景技術】
【０００２】
徐々にカラオケや電子ゲーム場の映像は大型化し大型スクリーンの使用要求が増大している。
【０００３】
カラオケの場合、音響によるサウンド、照明が別途構造で使用されたが、単純にランプを点滅する水準で別途構造であり、スクリーン映像の視覚以外の範囲に位置するため特別な視覚的効果がなく、特にスクリーンのゲーム内容や音楽の歌詞を見なければならないスクリーン映像構造では特別な効果がなかった。
【０００４】
ビデオ電子ゲームの場合、事実感、立体感のために大型スクリーンが使用されており、スクリーン効果だけでは限界があり徐々にゲーム現場感を増大させる装置等が必要視されている。
【発明の開示】
【発明が解決しようとする課題】
【０００５】
本発明は上記必要事項等を解決するために考案されたもので、本発明の目的は音響に伴う照明を音楽の強弱に合わせて変化するようにすることによりビデオゲーム時はゲームの内容により変わる音響の強弱に従ってスクリーンの周囲に照明も変わらせて現場感をより一層増大し、カラオケの場合は、音楽の強弱に従って照明を変化させることにより歌を楽しむ感度をより一層高めることができるように映像と音響ランプの構造を一つのスクリーン構造に結合した音響ランプ兼用映像スクリーン構造を提供することにある。
【課題を解決するための手段】
【０００６】
このような目的を達成するための本発明により、スクリーンの周囲にランプラインが設置されうるフレームが構成され、フレーム内部または外部にはランプが構成され、同ランプは音響センサとこれを電流信号に替えることができる音響信号変換器と結合構成する。
【０００７】
スクリーンは画面の大きさが50"-150"等の超大型画面では透過スクリーン、反射スクリーン、高輝度スクリーン等、全てのスクリーンが適用されることができ、40"-60"等の大型画面ではPDP、LCD等の平面映像スクリーンに映像を表示することができるスクリーンが適合するなど、主に映像を表示することができるスクリーン適用が望ましい。
【０００８】
音楽、効果音響等の各種音響を感知してこれを電気信号に変換してランプを発光させるインバータを構成して音響信号変換器で構成する。
【０００９】
ランプの構成はネオン、LED、ランプなど全て適用することができるが、主にネオンとLEDなど耐久性に優れたランプの適用が望ましい。
【００１０】
音響変化によるランプの変化は強い音響である場合は、例えば、白色が点るようにし、次は赤色、次は緑色の順に音響の強、弱の順序によってランプの明度順に構成するのが望ましい。
【００１１】
また、このようなランプはその表面に拡散板(6)を構成して色調が柔らかく広がるようにすることもでき、ビデオゲームの場合は強烈な刺激を与えるために瞬間的に発光することができる明るいランプや、または音楽信号レベルにより照明が変化するレーザ機器等の照明機器を別途に追加構成することができる。
【００１２】
このようなランプは複数のメモリ回路を追加してゲームまたは音楽内容に従って多様に変化を追求することができる。
【００１３】
また、音響センサの代わりに音響アンプから出る出力信号をそのまま信号変換器に連結して使用することも望ましい。
【発明の効果】
【００１４】
以上、説明したように、本発明はスクリーン(1)構造を結合したフレーム(3)内部にランプ(5)とランプライン(4)を形成し、その全面に必要に応じて任意の模様等のエンボッシングが形成された拡散板(6)を構成してランプ照明の形態を多様化することができ、映像視聴はもちろん、映像音響に伴うランプの変化を同時に視聴可能であり必要に応じてスクリーンの映像機能とは別に、音響によるサウンド照明を別に楽しむこともでき、スクリーンフレーム(2)に敷設したランプライン(4)形態をカバーして美麗なスクリーンの外形を形成することができ、照明器具の装飾性を共に満たすことができるため、実用的な機能と同時にインテリアの美麗さも高めることができる音響ランプ兼用映像スクリーンが提供されることができる。
【００１５】
また、カラオケ等で大型スクリーンに映す映像と同時に音響の強弱と拍車に伴う音響の変化を音響と共に映像スクリーンと共に時間的に照明の変化を一つのスクリーン構造でスクリーン映像と同時に感じることができるため、歌唱者の歌唱の楽しさと視聴者の視聴する楽しさをさらに高めることができる音響ランプ兼用映像スクリーンが提供されることができる。
【００１６】
また、ビデオゲームにおいて大型スクリーンに繰り広げられるゲーム画面と共に音響によって変化される照明と必要に応じて大きくなる音響信号に従ってランプの変化と照明を音響効果、映像効果、音響による照明効果を一つのスクリーン構造で同時に感じることができるため、現場感を増大して迫真感のあるスクリーンゲームを楽しむことができる音響ランプ兼用映像スクリーンが提供されることができる。
【発明を実施するための最良の形態】
【００１７】
以下添付された図面を参照して本発明に係る音響ランプ兼用映写用スクリーンの実施の例を詳細に説明する。
【００１８】
スクリーン(1)の構造において、スクリーン(1)は反射率が高い平面スクリーンを使用したり表面にアルミニウムを蒸着しその形態を曲面化してスクリーンの機能を高反射(high reflection)機能とした平面または曲面スクリーンを結合することができる。
【００１９】
特に、映像立体感を増大させるためにスクリーン(1)の形態は コーンケーブ(concave)形態にしスクリーン(1)の表面反射率は10-30ゲインで構成してスクリーン(1)の明るさを従来1-2ゲインの一般スクリーン対比5倍-30倍の高輝度(high gain)の明るさを実現することができる。
【００２０】
このような上記高反射(high reflection)スクリーンまたは高輝度(high gain)スクリーンは特にLEDやLASERを光源としたプロジェクタに有用である。
【００２１】
上記プロジェクタはその光源の寿命が非常に長くランプの交換が必要でない反面、その明るさが暗いという短所がある。
【００２２】
よって、上記高反射と高輝度のスクリーン(1)は上記のようなプロジェクタの映像を明るくしてくれることができるという長所がある。
【００２３】
フレーム(2)の構造において、図１及び図２に図示されたように望ましき実施の例に伴う本発明はスクリーン(1)の周囲にフレーム(2)を構成し同フレーム(2)は内部にランプ(5)が複数結合されたランプライン(4)またはランプ(5)を設置することができる設置溝(2a)を構成する。
【００２４】
また、ランプ(5)はいちいち個別作動することができないため1つの電源線により同時作動することができるようにランプライン(4)で構成する。
【００２５】
図３及び図４のようにフレーム(2)の外部には音響のdB感度を受け入れる音響センサ(3a)を設置し、同音響センサ(3a)は再び音響感度を電気信号に変換して各レベル別に出力する音響信号変換器(3)に連結され、同音響信号変換器(3)は各変換信号出力レベルに従って異なる色を発するランプ(5)に連結されている。
【００２６】
このようなランプ(5)が設置されたフレーム(2)内部全面にプラスチック等による拡散板(6)を設置し、同拡散板表面にエンボッシングを付加するとき多様な模様のカラー形状も再現することができ、同時に本スクリーン構造の外観を美麗にする効果もある。
【００２７】
このような本発明はもう少し実施の例を詳細に説明すると、図３の音響センサ(3a)はマイク機能を有し、音響信号変換器(3)はサウンドレベルメーターに使用することができる。
【００２８】
音響信号変換器(3)の出力端には抵抗が設けられ、音響の感度レベルに応じて複数のレベルの電気信号を分離出力することができる。
【００２９】
音響に従いランプ(5)に変化を与える方法の実施例を挙げると次の通りである。
【００３０】
大きな音響はランプ(3)のうちホワイトランプ(4a)に対応し、中間音響はレッドランプ(4b)に対応し、低い音響はグリーンランプ(4c)に対応する方式でカラー別に差別化したあと、連係して音が大きい音響であるときはスクリーン(1)の周囲で最も明るい白色ランプ(4a)が作動し、中間音響のときは中間の明るさの緑色のランプ(4b)、低い音響のときは低い明るさの青色のランプ(4c)が作動する方式である。
【００３１】
しかし、ランプ色相は上記のような方式の一例であるだけで、他の複数の種類のカラーに代替することもできる。
【００３２】
もう一つの方法は、大きな音響によるランプ作動は例を挙げると点滅時間差を1秒単位に、中間音響は3秒、低い音響は6秒単位に調整してカラーと共に多様に作動させることもできる。
【００３３】
よって、このような本発明の音響センサ(3a)と音響信号変換器(3)構造とランプライン(4)及びランプ(5)構造が一つのスクリーン構造で結合構成されるため、図５のようにPDP、LCDのような平面映像スクリーンやプロジェクタ(7)によりスクリーン(1)に映像を透写しスピーカーから出てくる音響によるランプ(5)の変化を一つのスクリーン構造で同時に楽しむことができるのである。
【図面の簡単な説明】
【００３４】
【図１】本発明の望ましい実施例の構成説明図
【図２】図１の音響ランプ兼用映像スクリーンの断面図
【図３】本発明中音響ランプ構成部分の説明図
【図４】図３の音響ランプ構成部分の全体構成説明図
【図５】本発明の構造を使用するときの説明図
【符号の説明】
【００３５】
１  スクリーン
２  フレーム
３  音響信号変換器
４  ランプライン
５  ランプ
６  拡散板
７  プロジェクタ
【図１】
2008085979.tif 000003
【図２】
2008085979.tif 000004
【図３】
2008085979.tif 000005
【図４】
2008085979.tif 000006
【図５】
2008085979.tif 000007